(57)【要約】  多数の行先階登録がなされた場合であっても全ての登録行先階を表示することができるとともに、利用者が行先階の登録状況がどのように変化したのかを容易に把握することが可能であるかご行先階表示装置を提供する。このため、エレベータの乗場やかご内に設けられ、利用者に対してエレベータのかごの行先階を表示するかご行先階表示装置において、登録された行先階を表示する表示部と、前記表示部の表示内容を制御するとともに、前記表示内容を表示するための複数の表示レイアウトの切換えを制御する表示制御部と、を備え、前記表示制御部は、登録された行先階の個数が第１の基準値を超えた場合、及び、登録された行先階の個数が第２の基準値以下となった場合に現在表示中の前記表示レイアウトから他の前記表示レイアウトへの切換えを行う構成とする。
2010103616.tif 000002
【特許請求の範囲】
【請求項１】
エレベータの乗場やかご内に設けられ、利用者に対してエレベータのかごの行先階を表示するかご行先階表示装置であって、
登録された行先階を表示する表示部と、
前記表示部の表示内容を制御するとともに、前記表示内容を表示するための複数の表示レイアウトの切換えを制御する表示制御部と、を備え、
前記表示制御部は、登録された行先階の個数が第１の基準値を超えた場合、及び、登録された行先階の個数が第２の基準値以下となった場合に現在表示中の前記表示レイアウトから他の前記表示レイアウトへの切換えを行うことを特徴とするかご行先階表示装置。
【請求項２】
複数の前記表示レイアウトは、それぞれについて同時に表示可能な行先階の個数の上限値である同時表示可能上限数が予め定められ、
前記第１の基準値は、現在表示中の前記表示レイアウトの前記同時表示可能上限数であり、
前記第２の基準値は、現在表示中の前記表示レイアウトより前記同時表示可能上限数が小さい他の前記表示レイアウトの前記同時表示可能上限数であり、
前記表示制御部は、登録された行先階の個数が前記第１の基準値を超えた場合に、現在表示中の前記表示レイアウトより前記同時表示可能上限数が大きい他の前記表示レイアウトへの切換えを行うとともに、登録された行先階の個数が前記第２の基準値以下となった場合に、前記同時表示可能上限数が前記第２の基準値である他の前記表示レイアウトへの切換えを行うことを特徴とする請求項１に記載のかご行先階表示装置。
【請求項３】
前記表示制御部は、登録された行先階の個数が前記第１の基準値を超えた場合に、現在表示中の前記表示レイアウトより前記同時表示可能上限数が大きい他の前記表示レイアウトへの切換えを行うとともに、登録された行先階の個数が前記第２の基準値以下となった場合に、さらに所定の切換余裕条件が満足されたときに、前記同時表示可能上限数が前記第２の基準値である他の前記表示レイアウトへの切換えを行うことを特徴とする請求項２に記載のかご行先階表示装置。
【請求項４】
前記所定の切換余裕条件は、登録された行先階の個数が、前記第２の基準値からさらに所定の切換余裕度の個数だけ減少したことであることを特徴とする請求項３に記載のかご行先階表示装置。
【請求項５】
エレベータの乗場やかご内に設けられ、利用者に対してエレベータのかごの行先階を表示するかご行先階表示装置であって、
登録された行先階を表示する表示部と、
前記表示部の表示内容を制御するとともに、前記表示内容を表示するための複数の表示レイアウトの切換えを制御する表示制御部と、を備え、
前記表示制御部は、登録された行先階の個数が第１の基準値を超えた場合に現在表示中の前記表示レイアウトから他の前記表示レイアウトへの切換えを行い、登録された行先階の個数が減少する場合には、前記表示レイアウトの切換えを行わないことを特徴とするかご行先階表示装置。
【発明の詳細な説明】
【技術分野】
【０００１】
この発明は、かご行先階表示装置に関するものである。
【背景技術】
【０００２】
行先階表示とは、エレベータの行先として停止が予定されている階床を表示することであり、従来においては、この行先階表示機能を、かご操作盤の行先階登録ボタンが行先階登録機能と兼用して担っていた。すなわち、従来のかご操作盤においては、行先階１つに対して１つの行先階登録ボタンを設け、この行先階登録ボタンの中央に行先階床名を示すラベルを表示し、行先階登録ボタンを押下すると当該ボタンのラベルの周囲が点灯して行先階の登録完了を示すように構成され、このようなボタンの点灯により当該エレベータの行先階表示を行っていた。【０００３】
このような従来における行先階登録装置の例として、図７に示すものが挙げられる。この図７において、かご行先階登録装置３には、行先階１つに対して１つの行先階登録ボタン１１が設けられ、この行先階登録ボタン１１の中央に行先階床名を示すラベルが表示されている。これら行先階登録ボタン１１を押下すると当該ボタンのラベルの周囲が点灯する。また、かご行先階登録装置３には、戸開を指示するための戸開ボタン１２及び戸閉を指示するための戸閉ボタン１３が設けられている。【０００４】
しかし、行先階毎に行先階登録ボタンを設けると、高層ビル等行先階が多数ある場合に、これに応じて多数の行先階登録ボタンを配置する必要が生じて多大な設置スペースが必要となるため、設置位置の制限の問題や設置にかかる費用がかさむ等の問題が発生する。
そこで、図８に示すようなテンキー式の行先階登録装置を設け、限られた設置スペースで多数の行先階を指定することができるようにすることが知られている。【０００５】
図８において、かご行先階登録装置３には、０から９までの各数字並びに登録操作及び取消操作にそれぞれ対応するテンキーボタン１４が設けられている。
ところが、このテンキー式の行先階登録装置においては、ボタンと行先階とが１対１対応ではないために、登録ボタンに行先階表示を兼用させることができず、前述した行先階と登録ボタンが１対１対応の場合においては登録ボタンに行先階表示を兼用させることで不要であった行先階表示装置を別途設ける必要がある。【０００６】
このような、テンキー式の行先階登録装置を有するエレベータに設けられる従来におけるかご行先階表示装置においては、多くの階床を持つ高層ビル等に設置されるエレベータのかご内に設けられ、テンキーからなる行先階を指示するための行先階ボタンを有する行先階登録装置（カーボタンパネル）と、かごのかご出入口の上方に設けられ、内部にＬＥＤランプを具備する表示部を行先階と同じ数だけ有し、前記行先階登録装置の操作により登録された行先階に対応する表示部（のＬＥＤランプ）を点灯させる行先階表示装置（インジケーター）と、を備えたものが知られている（例えば、特許文献１参照）。【０００７】
また、全ての階に係わる行先階表示の選択表示が可能な画面を有する表示部に、登録中の行先階の行先階表示だけを、固定サイズのマトリクス状に整列し表示するものや（例えば、特許文献２参照）、登録された行先階を利用者に対して表示する表示部に、登録された行先階の表示数が所定の規定値を超えた場合に、前記規定値を超えない場合における大きさよりも行先階の表示を小さくして、登録された全ての行先階を表示するものが知られている（例えば、特許文献３参照）。【０００８】
【特許文献１】日本特開平０８−１７５７７号公報
【特許文献２】国際公開２００５／１０５６４３号
【特許文献３】国際公開２００８／１０５０５０号
【発明の開示】
【発明が解決しようとする課題】
【０００９】
しかしながら、特許文献１に示された従来におけるかご行先階表示装置においては、内部にＬＥＤランプを具備する表示部が、行先階と同じ数だけ設けられていることから、高層ビル等行先階が多数ある場合に、これに応じて多数の行先階登録ボタンを配置する必要が生じて多大な設置スペースが必要となるため、設置位置の制限の問題や設置費用がかさむという問題等が発生するという、図７に示された従来技術と同様の課題がある。【００１０】
一方、特許文献２に示された従来におけるかご行先階表示装置においては、全ての階に係わる行先階表示の選択表示が可能な画面を有する表示部を採用したことにより、ビルの行先階が多数ある場合でも登録された行先階を表示するために必要となる画面の面積が小さくて済む。しかし、登録された行先階を固定サイズのマトリクス状に整列し表示するため、表示可能な行先階の数に上限があり、多数の行先階登録がなされた場合には、全ての登録行先階を表示することができなくなる可能性があるという課題がある。【００１１】
そこで、特許文献３に示された従来におけるかご行先階表示装置においては、登録された行先階の表示数が所定の規定値を超えた場合に、前記規定値を超えない場合における大きさよりも行先階の表示を小さくすることにより、登録された全ての行先階を表示部に表示する。ところが、特許文献３の段落００１９の記載及び図３のフロー図によれば、行先階を削除する旨の削除情報の入力がある場合には行先階を全て削除して初期画面の表示を行い、かごが登録行先階に到着することによる当該行先階の削除については行先階表示をどのように行うかについて考慮がなされていない。【００１２】
従って、かごが登録行先階に到着することによる当該行先階の削除と利用者による新規の行先階登録とが連続して行われた場合において、利用者が行先階の登録状況がどのように変化したのかを把握することが困難となるおそれがあるという課題や、画面表示のちらつき等が発生して利用者が表示を視認し難い可能性があるという課題がある。【００１３】
この発明は、このような課題を解決するためになされたもので、多数の行先階登録がなされた場合であっても全ての登録行先階を表示することができるとともに、かごが登録行先階に到着することによる当該行先階の削除と利用者による新規の行先階登録とが連続して行われた場合であっても、利用者が行先階の登録状況がどのように変化したのかを容易に把握することが可能であり、また、画面表示のちらつき等が発生し難く利用者が表示を視認し易いかご行先階表示装置を得るものである。
【課題を解決するための手段】
【００１４】
この発明に係るかご行先階表示装置においては、エレベータの乗場やかご内に設けられ、利用者に対してエレベータのかごの行先階を表示するかご行先階表示装置であって、登録された行先階を表示する表示部と、前記表示部の表示内容を制御するとともに、前記表示内容を表示するための複数の表示レイアウトの切換えを制御する表示制御部と、を備え、前記表示制御部は、登録された行先階の個数が第１の基準値を超えた場合、及び、登録された行先階の個数が第２の基準値以下となった場合に現在表示中の前記表示レイアウトから他の前記表示レイアウトへの切換えを行う構成とする。
【発明の効果】
【００１５】
この発明に係るかご行先階表示装置においては、多数の行先階登録がなされた場合であっても全ての登録行先階を表示することができるとともに、利用者が行先階の登録状況がどのように変化したのかを容易に把握することができるという効果を奏する。
【図面の簡単な説明】
【００１６】
【図１】この発明の実施の形態１に係るかご行先階表示装置の全体構成を示すブロック図である。
【図２】この発明の実施の形態１に係るかご行先階表示装置の動作を示すフロー図である。
【図３】この発明の実施の形態２に係るかご行先階表示装置の動作を示すフロー図である。
【図４】この発明の実施の形態２に係るかご行先階表示装置の表示例を示す説明図である。
【図５】この発明の実施の形態３に係るかご行先階表示装置の動作を示すフロー図である。
【図６】この発明の実施の形態３に係るかご行先階表示装置の表示例を示す説明図である。
【図７】従来における行先階登録装置を示す正面図である。
【図８】従来におけるテンキー式の行先階登録装置を示す正面図である。
【符号の説明】
【００１７】
１    エレベータ制御装置
２    行先階表示装置
３    かご行先階登録装置
４    通信路
５    行先階表示部
６    表示制御部
７    表示情報格納部
８    通信部
９    マイコン
１０    メモリ
１１    行先階登録ボタン
１２    戸開ボタン
１３    戸閉ボタン
１４    テンキーボタン
【発明を実施するための最良の形態】
【００１８】
この発明を添付の図面に従い説明する。各図を通じて同符号は同一部分又は相当部分を示しており、その重複説明は適宜に簡略化又は省略する。【００１９】
実施の形態１．
図１及び図２は、この発明の実施の形態１に係るもので、図１はかご行先階表示装置の全体構成を示すブロック図、図２はかご行先階表示装置の動作を示すフロー図である。
図において１は当該エレベータの運転全般を制御するエレベータ制御装置であり、図示しない群管理制御装置から指示された利用者のいる乗場へとエレベータのかごを走行させて利用者を乗せ、登録された行先階へとかごを走行させて利用者を行先階へと運搬する。【００２０】
エレベータの乗場及びかご内には、登録行先階を利用者に対して表示する行先階表示装置２が１つ以上設置されている。この１つ以上の行先階表示装置２は、エレベータ制御装置１と通信路４を介してエレベータ制御装置１と接続されている。エレベータ制御装置１と行先階表示装置２との間では、必要に応じて登録行先階に関する情報の送受信が行われる。乗場やかご内には、利用者が操作することにより行先階を登録するためのかご行先階登録装置３が設置されており、利用者がかご行先階登録装置３を操作して入力された行先階情報は、まず、エレベータ制御装置１へと送信される。エレベータ制御装置１は、行先階情報を受信すると、かごを登録された行先階に向けて走行させる等の必要な制御を行うとともに、通信路４によって接続された行先階表示装置２に対して行先階情報を送信する。【００２１】
行先階表示装置２は、登録行先階の階数を表す数字及びその数字を修飾する図形から構成される登録行先階表示や各種文字情報等が表示される行先階表示部５、この行先階表示部５の表示処理を制御する表示制御部６、エレベータ制御装置１からの指令信号と表示内容（文字や図形等）との対応関係を指令・表示内容対応表として格納する表示情報格納部７、エレベータ制御装置１との間の通信を制御する通信部８、かご行先階登録装置３全体の処理制御を行うマイコン９、並びに、所定のプログラムが格納されたプログラム格納用メモリ及び作業用メモリとからなるメモリ１０を有している。前記行先階表示部５は、表示する内容を切換えることができる機能を有していれば良く、例えば、液晶ディスプレイやプラズマディスプレイ、ＬＥＤ、ブラウン管等の表示器から構成される。【００２２】
前記通信部８は、エレベータ制御装置１との間の通信制御を行い、エレベータ制御装置１との通信により登録された行先階の数、行先階の表示指令、さらにエレベータの運行状況（乗り降り中や走行中である等）を取得する。この通信部８が用いる通信路４については、特に有線や無線の形態は問わず、情報伝達が可能である限りどのような通信方法でも構わない。【００２３】
前記マイコン９は、前記プログラム格納用メモリに格納されている所定のプログラムを、前記作業用メモリを使用しながら実行する。具体的には、まず、マイコン９は、エレベータ制御装置１から指令として出力された行先階情報を通信部８から取得する。通信部８から取得した行先階情報に対応する表示内容に関する情報を表示情報格納部７から取得し、この表示内容に関する情報を表示制御部６に送る。そして、表示制御部６は、この表示内容に関する情報に基づいて行先階表示部５に登録行先階の表示を行う。【００２４】
なお、プログラム格納用メモリ及び作業用メモリすなわちメモリ１０と表示情報格納部７とは、ハードディスクドライブ、不揮発性メモリや随時書込み保持動作が必要であるメモリ等、いかなる記憶装置や記憶素子で構成しても構わないし、これらのいくつかを同じ記憶装置や記憶素子として構成しても構わない。また、表示制御部６、表示情報格納部７、通信部８及びメモリ１０は、これらの一部又は全部がマイコン９に内蔵されていても構わない。また、通信部８を省略して構成した場合には、表示情報格納部７として着脱可能な不揮発性ストレージを使用する。【００２５】
前記表示情報格納部７には、前記指令・表示内容対応表の他、行先階を示す表示内容の文字、図形等やこれらの表示位置すなわち表示レイアウトに関する情報、各表示レイアウトにおいて同時に行先階表示部５に表示可能である行先階の個数の上限値（以下「同時表示可能上限数」という）、及び、各表示レイアウトにおける行先階階床名の表示サイズが格納されている。【００２６】
ここでは、行先階が登録されていない時の表示レイアウトを表示レイアウト０とし、同時表示可能上限数に応じて、表示レイアウト１、表示レイアウト２、・・・、表示レイアウト（Ｎ−１）、表示レイアウトＮの合計Ｎ＋１個の表示レイアウトが設定されているとする。そして、表示レイアウト０を除くこれらの表示レイアウトにおける同時表示可能上限数をそれぞれＦＮ１、ＦＮ２、・・・、ＦＮ（Ｎ−１）、ＦＮＮとし、これらの同時表示可能上限数の大小関係は、ＦＮ１＜ＦＮ１＜ＦＮ２＜・・・＜ＦＮ（Ｎ−１）＜ＦＮＮである。すなわち、表示レイアウト０を除き表示レイアウト１における同時表示可能上限数が一番少なく、表示レイアウトＮにおける同時表示可能上限数が一番多い。【００２７】
また、表示レイアウト０を除くこれらの表示レイアウトにおける行先階階床名の表示サイズをそれぞれＳ１、Ｓ２、・・・、Ｓ（Ｎ−１）、ＳＮとし、これらの行先階階床名の表示サイズの大小関係は、Ｓ１＞Ｓ１＞Ｓ２＞・・・＞Ｓ（Ｎ−１）＞ＳＮである。すなわち、表示レイアウト０を除き表示レイアウト１における行先階床名の表示サイズが一番大きく、表示レイアウトＮにおける行先階床名の表示サイズが一番小さい。【００２８】
この実施の形態にあっては、かご行先階表示装置は、図２に示す一連のフローに従って動作する。
まず、ステップＳ１において、表示制御部６は行先階表示部５に表示レイアウト０を表示するよう制御を行う。この表示レイアウト０は前述のごとく登録行先階が１つもない時に表示されるもので、背景画面等の必要な初期画面となるものである。【００２９】
そして、エレベータ制御装置１からの行先階表示指令をかご行先階登録装置３が受信すると（ステップＳ２）、ステップＳ３において、この行先階表示指令によって表示すべき行先階の個数について増減があるか否かについて判断を行う。なお、行先階表示指令とは、登録された行先階を表示する指令又は登録された行先階にかごが到着したことにより該当する行先階の表示を消去する指令のことである。
このステップＳ３の確認において、行先階表示指令によって表示すべき行先階の個数について増減があると判断された場合にはステップＳ４へと移行する。一方、このステップＳ３の確認において、行先階表示指令によって表示すべき行先階の個数について増減がないと判断された場合にはステップＳ２へと戻る。【００３０】
ステップＳ４においては、これから表示する行先階の個数（これをＮとする）のカウントを行い、次のステップＳ５へと進む。ステップＳ５においては、これから表示する行先階の個数Ｎが現在表示中の表示レイアウトの同時表示可能上限数（第１の基準値）より大きいか否かについて確認を行う。なお、ここで、現在表示中の表示レイアウトを表示レイアウトＹとし、この表示レイアウトＹより同時表示可能上限数が一段階少ない表示レイアウトを表示レイアウトＸ、この表示レイアウトＹより同時表示可能上限数が一段階多い表示レイアウトを表示レイアウトＺとする。すなわち、ＦＮＸ＜ＦＮＹ＜ＦＮＺであり、ＳＸ＞ＳＹ＞ＳＺである。【００３１】
このステップＳ５の確認において、これから表示する行先階の個数Ｎが現在表示中の表示レイアウトＹの同時表示可能上限数ＦＮＹより大きいことが確認された場合には、ステップＳ６へと移行して、表示制御部６は行先階表示部５の表示を表示レイアウトＹより同時表示可能上限数が一段階多い表示レイアウトＺに切換える。そして、続くステップＳ７においてこの表示レイアウトＺに、更新した登録済み行先階の表示内容を表示した後、ステップＳ２へと戻る。【００３２】
一方、ステップＳ５の確認において、これから表示する行先階の個数Ｎが現在表示中の表示レイアウトＹの同時表示可能上限数ＦＮＹ以下であることが確認された場合には、ステップＳ８へと移行して、これから表示する行先階の個数Ｎが０であるか否かについて確認を行う。この確認において、これから表示する行先階の個数Ｎが０であることが確認された場合には、ステップＳ９へと移り、表示制御部６は行先階表示部５の表示を表示レイアウト０に切換えた後、ステップＳ２へと戻る。【００３３】
また、ステップＳ８の確認において、これから表示する行先階の個数Ｎが０でないことが確認された場合には、ステップＳ１０へと移行する。
ステップＳ１０においては、これから表示する行先階の個数Ｎが、現在表示中の表示レイアウトＹより同時表示可能上限数が一段階少ない表示レイアウトＸの同時表示可能上限数ＦＮＸ（第２の基準値）以下であるか否かについて確認を行う。【００３４】
このステップＳ１０の確認において、これから表示する行先階の個数Ｎが表示レイアウトＸの同時表示可能上限数ＦＮＸ以下であることが確認された場合には、ステップＳ１１へと移行して、表示制御部６は行先階表示部５の表示を表示レイアウトＸに切換える。そして、続くステップＳ１２においてこの表示レイアウトＸに、更新した登録済み行先階の表示内容を表示した後、ステップＳ２へと戻る。
一方のステップＳ１０の確認において、これから表示する行先階の個数Ｎが表示レイアウトＸの同時表示可能上限数ＦＮＸより大きいことが確認された場合、すなわち、これから表示する行先階の個数Ｎが、表示レイアウトＸの同時表示可能上限数ＦＮＸ（第２の基準値）より大きく、かつ、表示レイアウトＹの同時表示可能上限数ＦＮＹ（第１の基準値）以下である場合には、表示レイアウトの切換えは行われずに動作フローはステップＳ２へと戻る。【００３５】
以上のように構成されたかご行先階表示装置においては、登録された行先階を表示する表示部と、表示部の表示内容を制御するとともに、表示内容を表示するための複数の表示レイアウトの切換えを制御する表示制御部と、を備え、現在表示中の表示レイアウトの同時表示可能上限数を第１の基準値とし、現在表示中の表示レイアウトより同時表示可能上限数が一段階小さい他の表示レイアウトの同時表示可能上限数を第２の基準値として、表示制御部は、登録された行先階の個数が第１の基準値を超えた場合、及び、登録された行先階の個数が第２の基準値以下となった場合に現在表示中の表示レイアウトから他の表示レイアウトへの切換えを行うことにより、多数の行先階登録がなされた場合であっても全ての登録行先階を表示することができるとともに、利用者が行先階の登録状況がどのように変化したのかを容易に把握することができる。【００３６】
さらに具体的には、表示制御部は、登録された行先階の個数が第１の基準値を超えた場合に、現在表示中の表示レイアウトより同時表示可能上限数が一段階大きい他の表示レイアウトへの切換えを行うとともに、登録された行先階の個数が第２の基準値以下となった場合に、同時表示可能上限数が第２の基準値である他の表示レイアウトへの切換えを行うことにより、前述同様の目的を達することができる。【００３７】
実施の形態２．
図３及び図４は、この発明の実施の形態２に係るもので、図３はかご行先階表示装置の動作を示すフロー図、図４はかご行先階表示装置の表示例を示す説明図である。
ここで説明する実施の形態２は、これから表示する行先階の個数が現在の表示レイアウトの同時表示上限数より大きくなった場合には、前述した実施の形態１と同様にして表示レイアウトの切換えを行うが、これから表示する行先階の個数が現在の表示レイアウトの同時表示上限数以下である場合には、登録行先階の個数が減少したときであっても、原則として表示レイアウトの切換えを行わないようにしたものである。【００３８】
すなわち、この実施の形態にあっては、かご行先階表示装置は、構成に関しては実施の形態１と同様であり、動作に関しては図３に示す一連のフローに従う。
まず、ステップＳ２１において、表示制御部６は行先階表示部５に、背景画面等の必要な初期画面となる表示レイアウト０を表示するよう制御を行う。【００３９】
そして、エレベータ制御装置１からの行先階表示指令をかご行先階登録装置３が受信すると（ステップＳ２２）、ステップＳ２３において、この行先階表示指令によって表示すべき行先階の個数について増減があるか否かについて判断を行う。
このステップＳ２３の確認において、行先階表示指令によって表示すべき行先階の個数について増減があると判断された場合にはステップＳ２４へと移行する。一方、このステップＳ２３の確認において、行先階表示指令によって表示すべき行先階の個数について増減がないと判断された場合にはステップＳ２２へと戻る。【００４０】
ステップＳ２４においては、これから表示する行先階の個数Ｎのカウントを行い、次のステップＳ２５へと進む。ステップＳ２５においては、これから表示する行先階の個数Ｎが現在表示中の表示レイアウトＹの同時表示可能上限数ＦＮＹ（第１の基準値）より大きいか否かについて確認を行う。
このステップＳ２５の確認において、これから表示する行先階の個数Ｎが現在表示中の表示レイアウトＹの同時表示可能上限数ＦＮＹより大きいことが確認された場合には、ステップＳ２６へと移行して、表示制御部６は行先階表示部５の表示を表示レイアウトＹより同時表示可能上限数が一段階多い表示レイアウトＺに切換える。そして、続くステップＳ２７においてこの表示レイアウトＺに、更新した登録済み行先階の表示内容を表示した後、ステップＳ２２へと戻る（図４の（ｂ））。【００４１】
一方、ステップＳ２５の確認において、これから表示する行先階の個数Ｎが現在表示中の表示レイアウトＹの同時表示可能上限数ＦＮＹ以下であることが確認された場合には、ステップＳ２８へと移行して、これから表示する行先階の個数Ｎが０であるか否かについて確認を行う。この確認において、これから表示する行先階の個数Ｎが０であることが確認された場合には、ステップＳ２９へと移り、表示制御部６は行先階表示部５の表示を表示レイアウト０に切換えた後、ステップＳ２２へと戻る。
また、ステップＳ２８の確認において、これから表示する行先階の個数Ｎが０でないことが確認された場合には、表示レイアウトの切換えは行われずに動作フローはステップＳ２２へと戻る（図４の（ｃ）及び（ｄ））。【００４２】
図４は、この実施の形態におけるかご行先階表示装置の表示例を示すものである。
まず（ａ）においては、行先階として３、５、８、１０、１３及び１６階の各階床が登録されており、表示レイアウトとしては、同時表示可能上限数が６階床である表示レイアウトが表示されている。
この状態において、利用者によるかご行先階登録装置３の操作等により登録行先階が増加すると、現在の表示レイアウトの同時表示可能上限数である６を超えるため、同時表示可能上限数が一段階上の１２である表示レイアウトに切り換わる。（ｂ）は、（ａ）の状態からさらに２、１８、２０、２５及び２９階の計５階床に対する行先階登録が追加された状態を示している。【００４３】
この状態から、エレベータのかごが行先階登録に応答して、２、３、５、８及び１０階の５階床に到着すると、残りの登録された行先階は１３、１６、１８、２０、２５及び２９階の６階床となる。登録された行先階が６階床である場合には、同時表示可能上限数が６階床である表示レイアウトによっても全ての登録行先階を表示することが可能である。しかしながら、表示レイアウトは同時表示可能上限数が１２である表示レイアウトのままで変化しない。これを示すのが（ｃ）である。
また、（ｃ）の状態からさらに登録された行先階が減少しても、（ｄ）に示すように、表示レイアウトは変化しない。【００４４】
以上のように構成されたかご行先階表示装置においては、実施の形態１と同様の効果を奏することができるのに加えて、現在表示中の表示レイアウトの同時表示可能上限数を第１の基準値とした上で、表示制御部は、登録された行先階の個数が第１の基準値を超えた場合に現在表示中の表示レイアウトから他の表示レイアウトへの切換えを行い、登録された行先階の個数が減少する場合には、表示レイアウトの切換えを行わないことにより、かごが登録行先階に到着することによる当該行先階の削除と利用者による新規の行先階登録とが連続して行われた場合であっても、利用者が行先階の登録状況がどのように変化したのかを容易に把握することが可能であり、また、画面表示のちらつき等が発生し難く利用者が表示を視認し易い。【００４５】
実施の形態３．
図５及び図６は、この発明の実施の形態３に係るもので、図５はかご行先階表示装置の動作を示すフロー図、図６はかご行先階表示装置の表示例を示す説明図である。
ここで説明する実施の形態３は、これから表示する行先階の個数が現在の表示レイアウトの同時表示上限数より大きくなった場合に、表示レイアウトの切換えを行う点は実施の形態１と同様である。そして、これから表示する行先階の個数が現在の表示レイアウトの同時表示上限数以下である場合については、登録行先階の個数が減少したときであっても、直ちに表示レイアウトの切換えを行うことはせず、所定の切換余裕度の個数分だけ表示対象の階床がさらに減少したときに表示レイアウトの切換えを行うようにしたものである。【００４６】
すなわち、この実施の形態にあっては、かご行先階表示装置は、構成に関しては実施の形態１と同様であり、動作に関しては図５に示す一連のフローに従う。
まず、ステップＳ３１において、表示制御部６は行先階表示部５に、背景画面等の必要な初期画面となる表示レイアウト０を表示するよう制御を行う。【００４７】
そして、エレベータ制御装置１からの行先階表示指令をかご行先階登録装置３が受信すると（ステップＳ３２）、ステップＳ３３において、この行先階表示指令によって表示すべき行先階の個数について増減があるか否かについて判断を行う。
このステップＳ３３の確認において、行先階表示指令によって表示すべき行先階の個数について増減があると判断された場合にはステップＳ３４へと移行する。一方、このステップＳ３３の確認において、行先階表示指令によって表示すべき行先階の個数について増減がないと判断された場合にはステップＳ３２へと戻る。【００４８】
ステップＳ３４においては、これから表示する行先階の個数Ｎのカウントを行い、次のステップＳ３５へと進む。ステップＳ３５においては、これから表示する行先階の個数Ｎが現在表示中の表示レイアウトＹの同時表示可能上限数ＦＮＹ（第１の基準値）より大きいか否かについて確認を行う。
このステップＳ３５の確認において、これから表示する行先階の個数Ｎが現在表示中の表示レイアウトＹの同時表示可能上限数ＦＮＹより大きいことが確認された場合には、ステップＳ３６へと移行して、表示制御部６は行先階表示部５の表示を表示レイアウトＹより同時表示可能上限数が一段階多い表示レイアウトＺに切換える。そして、続くステップＳ３７においてこの表示レイアウトＺに更新した登録済み行先階の表示内容を表示した後、ステップＳ３２へと戻る（図６の（ｂ））。【００４９】
一方、ステップＳ３５の確認において、これから表示する行先階の個数Ｎが現在表示中の表示レイアウトＹの同時表示可能上限数ＦＮＹ以下であることが確認された場合には、ステップＳ３８へと移行して、これから表示する行先階の個数Ｎが０であるか否かについて確認を行う。この確認において、これから表示する行先階の個数Ｎが０であることが確認された場合には、ステップＳ３９へと移り、表示制御部６は行先階表示部５の表示を表示レイアウト０に切換えた後、ステップＳ３２へと戻る。【００５０】
また、ステップＳ３８の確認において、これから表示する行先階の個数Ｎが０でないことが確認された場合には、ステップＳ４０へと移行する。
ステップＳ４０においては、これから表示する行先階の個数Ｎが、現在表示中の表示レイアウトＹより同時表示可能上限数が一段階少ない表示レイアウトＸの同時表示可能上限数ＦＮＸに対して、所定の切換余裕度Ｍ以上の差をもって小さいか否か、すなわち、Ｎが（ＦＮＸ−Ｍ）（第２の基準値）以下であるか否かについて確認を行う。【００５１】
このステップＳ１０の確認において、これから表示する行先階の個数Ｎが、表示レイアウトＸの同時表示可能上限数ＦＮＸに対して、所定の切換余裕度Ｍ以上の差をもって小さいことが確認された場合には、ステップＳ４１へと移行して、表示制御部６は行先階表示部５の表示を表示レイアウトＸに切換える。そして、続くステップＳ４２においてこの表示レイアウトＸに、更新した登録済み行先階の表示内容を表示した後、ステップＳ３２へと戻る（図６の（ｄ））。【００５２】
一方のステップＳ４０の確認において、これから表示する行先階の個数Ｎが、表示レイアウトＸの同時表示可能上限数ＦＮＸに対して、所定の切換余裕度Ｍ以上の差をもって小さいことが確認されない、すなわち、Ｎが（ＦＮＸ−Ｍ）（第２の基準値）より大きくかつＦＮＹ（第１の基準値）以下である場合には、表示レイアウトの切換えは行われずに動作フローはステップＳ３２へと戻る（図６の（ｃ））。【００５３】
なお、表示レイアウトの切換え頻度を抑制するための所定の切換余裕度Ｍについて、この切換余裕度は、それぞれの表示レイアウトに対して共通の固定値としてもよいし、それぞれの表示レイアウト毎に異なる値としてもよい。そして、この切換余裕度Ｍの具体的な値としては、通常１から３の範囲で設定する。【００５４】
図６は、この実施の形態におけるかご行先階表示装置の表示例を示すものである。なお、前記切換余裕度Ｍは例えば２とした場合について説明する。
まず（ａ）においては、行先階として３、５、８、１０、１３及び１６階の各階床が登録されており、表示レイアウトとしては、同時表示可能上限数が６階床である表示レイアウトが表示されている。
この状態において、利用者によるかご行先階登録装置３の操作等により登録行先階が増加すると、現在の表示レイアウトの同時表示可能上限数である６を超えるため、同時表示可能上限数が一段階上の１２である表示レイアウトに切り換わる。（ｂ）は、（ａ）の状態からさらに２、１８、２０、２５及び２９階の計５階床に対する行先階登録が追加された状態を示している。【００５５】
この状態から、エレベータのかごが行先階登録に応答して、２、３、５、８及び１０階の５階床に到着すると、残りの登録された行先階は１３、１６、１８、２０、２５及び２９階の６階床となる。登録された行先階が６階床である場合には、同時表示可能上限数が６階床である表示レイアウトによっても全ての登録行先階を表示することが可能である。しかしながら、登録された行先階の数が６であって、これは現在表示中の表示レイアウトより同時表示可能上限数が一段階少ない表示レイアウトの同時表示可能上限数である６から前記切換余裕度２を減じた数である４よりも大きい。従って、表示レイアウトは同時表示可能上限数が１２である表示レイアウトのままで変化しない。これを示すのが（ｃ）である。【００５６】
そして、（ｃ）の状態からさらに登録された行先階が減少し、登録された行先階の数が、現在表示中の表示レイアウトより同時表示可能上限数が一段階少ない表示レイアウトの同時表示可能上限数である６から前記切換余裕度２を減じた数である４以下になると、表示レイアウトは、（ｄ）に示すように、同時表示可能上限数が６である表示レイアウトに切換えられる。【００５７】
なお、ここでは、これから表示する行先階の個数が、現在表示中の表示レイアウトより同時表示可能上限数が一段階小さい他の表示レイアウトの同時表示可能上限以下となっても直ちに表示レイアウトの切換えを行うことはせず、さらに所定の切換余裕度の個数分だけ表示対象の階床が減少したときに表示レイアウトの切換えを行うようにした。しかし、表示レイアウトの切換えを行う条件は、これに限られず、これから表示する行先階の個数が、現在表示中の表示レイアウトより同時表示可能上限数が一段階小さい他の表示レイアウトの同時表示可能上限以下となった後、所定の切換余裕条件を満足した場合に表示レイアウトの切換えを行うようにしてもよい。この所定の切換余裕条件の具体例としては、ここで説明した、さらに所定の切換余裕度の個数分だけ表示対象の階床が減少したときの他、所定時間が経過したこと等が考えられる。【００５８】
以上のように構成されたかご行先階表示装置においては、実施の形態１と同様の効果を奏することができるのに加えて、前記表示制御部は、登録された行先階の個数が第２の基準値以下となった場合に、さらに所定の切換余裕条件が満足されたときに、同時表示可能上限数が第２の基準値である他の表示レイアウトへの切換えを行うことにより、かごが登録行先階に到着することによる当該行先階の削除と利用者による新規の行先階登録とが連続して行われた場合であっても、利用者が行先階の登録状況がどのように変化したのかを容易に把握することが可能であり、また、画面表示のちらつき等が発生し難く利用者が表示を視認し易い。
【産業上の利用可能性】
【００５９】
この発明は、エレベータの乗場やかご内に設置され、利用者にかごの行先階を案内するためのかご行先階表示装置に利用できる。
【図１】
2010103616.tif 000003
【図２】
2010103616.tif 000004
【図３】
2010103616.tif 000005
【図４】
2010103616.tif 000006
【図５】
2010103616.tif 000007
【図６】
2010103616.tif 000008
【図７】
2010103616.tif 000009
【図８】
2010103616.tif 000010
【手続補正書】
【提出日】平成23年8月8日(2011.8.8)
【手続補正１】
【補正対象書類名】明細書
【補正対象項目名】０００８
【補正方法】変更
【補正の内容】
【０００８】
【特許文献１】日本特開平０８−１７５７７０号公報
【特許文献２】国際公開２００５／１０５６４３号
【特許文献３】国際公開２００８／１０５０５０号
【国際調査報告】
2010103616.tif 000011
2010103616.tif 000012
2010103616.tif 000013